(57)【要約】【課題】  プリント注文受付装置の設定が写真処理装置におけるプリント処理の状況に応じて自動的に切り換わるようにする。【解決手段】  写真処理装置では、顧客が受付装置に対してプリント注文の受付を行う前において、特急モードでのプリント注文を受け付けた場合に、そのプリント注文に対応したプリント処理が終了するまでのプリント時間が算出される。そして、そのプリント時間を含む情報が写真処理装置から受付装置に送信されると、受付装置において、プリント時間と特急モード規定時間とを比較することによって、特急モードでのプリント注文の受付が可能であるか否かが判断される。受付装置のディスプレイに表示される「プリントモード選択画面」には、特急モードでのプリント注文の受付が可能である場合に限って、特急モードのプリントモードが選択可能になる。【選択図】図１７
2006268450.tif 000002
【特許請求の範囲】
【請求項１】
写真プリントの注文を受け付け、写真プリントを作成するプリントシステムにおいて、
注文を受け付けてからプリント処理が完成するまでに要する時間に関して、通常モード及び通常モードよりも要する時間が短い特急モードの２つのモードを記憶するモード記憶手段と、
前記モード記憶手段に記憶された２つのモードのいずれかでの注文を受け付ける注文受付手段と、
プリント処理状況に関する情報に基づいて、特急モードでの注文の受付が可能であるか否かを判断し、特急モードでの注文の受付の可否を切り換える切り換え手段とを備えていることを特徴とするプリントシステム。
【請求項２】
注文を受け付ける前において、特急モードでの注文を受け付けた場合に、その注文に対応したプリント処理が完成するまでのプリント時間を算出する算出手段と、
特急モードでの注文に対応したプリント処理が完成するまでに要する時間としてあらかじめ設定された規定時間を記憶する所要時間記憶手段とをさらに備え、
前記切り換え手段は、
前記プリント時間が前記規定時間と同じまたはそれより短い場合に、特急モードでの注文の受付が可能であると判断し、特急モードでの注文の受付が可能になるように切り換えることを特徴とする請求項１に記載のプリントシステム。
【請求項３】
注文画面を表示するディスプレイをさらに備え、
前記ディスプレイには、前記規定時間が表示されることを特徴とする請求項２に記載のプリントシステム。
【請求項４】
前記切り換え手段は、
前記プリント時間が前記規定時間より長い場合に、特急モードでの注文の受付が不可能であると判断し、特急モードでの注文の受付が不可能になるように切り換えることを特徴とする請求項２または３に記載のプリントシステム。
【請求項５】
前記所要時間記憶手段に記憶される時間の変更可能範囲を記憶する変更範囲記憶手段と、
前記所要時間記憶手段に記憶される時間を変更する変更手段とをさらに備え、
前記プリント時間が前記規定時間より長く且つ前記変更範囲記憶手段に記憶された変更可能範囲内である場合に、
前記変更手段は、前記所要時間記憶手段に記憶される時間を前記プリント時間に変更すると共に、
前記切り換え手段は、特急モードでの注文の受付が可能であると判断し、特急モードでの注文の受付が可能になるように切り換えることを特徴とする請求項２に記載のプリントシステム。
【請求項６】
注文画面を表示するディスプレイをさらに備え、
前記ディスプレイには、前記プリント時間が表示されることを特徴とする請求項５に記載のプリントシステム。
【請求項７】
前記変更手段は、前記プリント時間が前記規定時間と同じまたはそれより短くなった時点で、前記所要時間記憶手段に記憶された時間を前記規定時間に変更することを特徴とする請求項５または６に記載のプリントシステム。
【請求項８】
前記切り換え手段は、前記プリント時間が前記規定時間より長く且つ前記変更範囲記憶手段に記憶された変更可能範囲内でない場合に、特急モードでの注文の受付が不可能であると判断し、特急モードでの注文の受付が不可能になるように切り換えることを特徴とする請求項５〜７のいずれか１項に記載のプリントシステム。
【請求項９】
写真プリントの注文を受け付けるプリント注文受付装置において、
注文を受け付けてからプリント処理が完成するまでに要する時間に関して、通常モード及び通常モードよりも要する時間が短い特急モードの２つのモードを記憶するモード記憶手段と、
前記モード記憶手段に記憶された２つのモードのいずれかでの注文を受け付ける注文受付手段と、
プリント処理状況に関する情報に基づいて、特急モードでの注文の受付が可能であるか否かを判断し、特急モードでの注文の受付の可否を切り換える切り換え手段とを備えていることを特徴とするプリント注文受付装置。
【請求項１０】
注文を受け付ける前において、特急モードでの注文を受け付けた場合に、その注文に対応したプリント処理が完成するまでのプリント時間を算出する算出手段と、
特急モードでの注文に対応したプリント処理が完成するまでに要する時間としてあらかじめ設定された規定時間を記憶する所要時間記憶手段とをさらに備え、
前記切り換え手段は、
前記プリント時間が前記規定時間と同じまたはそれより短い場合に、特急モードでの注文の受付が可能であると判断し、特急モードでの注文の受付が可能になるように切り換えることを特徴とする請求項９に記載のプリント注文受付装置。
【請求項１１】
注文画面を表示するディスプレイをさらに備え、
前記ディスプレイには、前記規定時間が表示されることを特徴とする請求項１０に記載のプリント注文受付装置。
【請求項１２】
前記切り換え手段は、
前記プリント時間が前記規定時間より長い場合に、特急モードでの注文の受付が不可能であると判断し、特急モードでの注文の受付が不可能になるように切り換えることを特徴とする請求項１０または１１に記載のプリント注文受付装置。
【請求項１３】
前記所要時間記憶手段に記憶される時間の変更可能範囲を記憶する変更範囲記憶手段と、
前記所要時間記憶手段に記憶される時間を変更する変更手段とをさらに備え、
前記プリント時間が前記規定時間より長く且つ前記変更範囲記憶手段に記憶された変更可能範囲内である場合に、
前記変更手段は、前記所要時間記憶手段に記憶される時間を前記プリント時間に変更すると共に、
前記切り換え手段は、特急モードでの注文の受付が可能であると判断し、特急モードでの注文の受付が可能になるように切り換えることを特徴とする請求項１０に記載のプリント注文受付装置。
【請求項１４】
注文画面を表示するディスプレイをさらに備え、
前記ディスプレイには、前記プリント時間が表示されることを特徴とする請求項１３に記載のプリント注文受付装置。
【請求項１５】
前記変更手段は、前記プリント時間が前記規定時間と同じまたはそれより短くなった時点で、前記所要時間記憶手段に記憶された時間を前記規定時間に変更することを特徴とする請求項１３または１４に記載のプリント注文受付装置。
【請求項１６】
前記切り換え手段は、前記プリント時間が前記規定時間より長く且つ前記変更範囲記憶手段に記憶された変更可能範囲内でない場合に、特急モードでの注文の受付が不可能であると判断し、特急モードでの注文の受付が不可能になるように切り換えることを特徴とする請求項１３〜１５のいずれか１項に記載のプリント注文受付装置。
【発明の詳細な説明】
【技術分野】
【０００１】
本発明は、顧客から写真プリントの注文を受け付け、その注文に基づいて写真プリントを作成するプリントシステムに関するものである。
【背景技術】
【０００２】
近年のデジタルカメラの普及に伴い、デジタルカメラで撮影された画像データを、従来からの写真処理装置を用いて銀塩印画紙等に対して高い品質でプリントする要望が高まっている。従って、写真店には、複数のデジタル画像受付装置（プリント注文受付装置）と写真プリント装置（写真処理装置）とを備えたデジタル画像処理システム（プリントシステム）が設置されることが一般的になってきている（例えば、特許文献１参照）。このシステムでは、顧客によってデジタルカメラで撮影された画像データが保存されたメディアがセットされ、プリント枚数などの種々の指定を含むプリント注文が行われると、その注文に対応したプリント処理が写真処理装置で行われる。そして、写真店では、完成した写真プリントが顧客に手渡されると共に、プリント代金の精算が行われる。
【０００３】
プリント注文を行う顧客のなかには、完成した写真プリントを早急に取得したいと望む顧客もいる。従って、このような要望に応えるために、受付装置には、プリント注文の受け付けを行う際に、写真プリントが完成するまでの時間が互いに異なる複数のプリントモードのなかからいずれかを指定できるものがある。例えば、通常モードまたは特急モードのいずれかを指定可能な受付装置では、特急モードを指定することによって、顧客は写真プリントを通常モードを指定した場合よりも早く取得することが可能になる。
【特許文献１】特開２００３−７５９３０号公報（図１）
【発明の開示】
【発明が解決しようとする課題】
【０００４】
しかしながら、プリント注文の受け付けを行う際に、既に特急モードでのプリント注文を受け付けている場合は、新規に特急モードでのプリント注文を受け付けた場合でも、そのプリント注文に対応したプリント処理を即座に開始することができないため、顧客に対して写真プリントを早急に手渡すことができないことがある。従って、写真店では、写真プリント装置におけるプリント処理の状況に応じて、店員によって特急モードでのプリント注文を受け付けない設定が受付装置に対して行われることが多い。つまり、店員は、写真プリント装置におけるプリント処理の状況を確認しながら、特急モードでのプリント処理が可能か否かを判断し、受付装置に対して特急モードでのプリント注文の有効または無効の設定を行う。
【０００５】
ここで、写真プリント装置におけるプリント処理の状況は刻々と変化するが、この変化にあわせて店員が受付装置に対する設定を変更するのは非常に困難である。そのため、実際には、写真プリント装置におけるプリント処理の状況は特急モードでのプリント注文を受付可能な状況であるにもかかわらず、受付装置に対して特急モードでのプリント注文を受け付けない設定が行われているために、特急モードでのプリント注文を受け付けることができないという問題が生じてしまう。
【０００６】
そこで、本発明の主な目的は、特急モードでの注文の受付の可否がプリント処理の状況に応じて自動的に切り換わる写真プリントシステム及びプリント注文受付装置を提供することである。
【課題を解決するための手段および発明の効果】
【０００７】
本発明のプリントシステムは、写真プリントの注文を受け付け、写真プリントを作成するプリントシステムにおいて、注文を受け付けてからプリント処理が完成するまでに要する時間に関して、通常モード及び通常モードよりも要する時間が短い特急モードの２つのモードを記憶するモード記憶手段と、前記モード記憶手段に記憶された２つのモードのいずれかでの注文を受け付ける注文受付手段と、プリント処理状況に関する情報に基づいて、特急モードでの注文の受付が可能であるか否かを判断し、特急モードでの注文の受付の可否を切り換える切り換え手段とを備えている。
【０００８】
本発明のプリント注文受付装置は、写真プリントの注文を受け付けるプリント注文受付装置において、注文を受け付けてからプリント処理が完成するまでに要する時間に関して、通常モード及び通常モードよりも要する時間が短い特急モードの２つのモードを記憶するモード記憶手段と、前記モード記憶手段に記憶された２つのモードのいずれかでの注文を受け付ける注文受付手段と、プリント処理状況に関する情報に基づいて、特急モードでの注文の受付が可能であるか否かを判断し、特急モードでの注文の受付の可否を切り換える切り換え手段とを備えている。
【０００９】
この構成によると、特急モードでの注文の受付の可否がプリント処理の状況に応じて自動的に切り換えられる。つまり、特急モードでの注文に対応したプリント処理が行われているかまたはプリント待ち状態である場合には、特急モードでの注文を受け付けても、その注文に対応したプリント処理を即座に行うことができない。従って、その注文に対応したプリント処理が終了するまでに長時間が必要な場合には、特急モードでの注文の受付が不可能になる。一方、特急モードでの注文に対応したプリント処理が行われてないでプリント待ち状態でもない場合には、特急モードでの注文を受け付けると、その注文に対応したプリント処理を速やかに行うことができる。従って、その注文に対応したプリント処理が終了するまでに長時間が必要でない場合には、特急モードでの注文の受付が可能になる。従って、オペレータ（写真店の店員）が特急モードでの注文の受付の可否を設定しなくても、プリント処理の状況に応じて最適な状態に自動的に切り換えられる。そのため、特急モードにおけるプリント処理が可能である（写真プリントを顧客に対して早急に手渡すことができる）場合に限って、特急モードでの注文を受け付けることが可能になる。つまり、特急モードにおけるプリント処理が不可能である（写真プリントを顧客に対して早急に手渡すことができない）にもかかわらず、特急モードでの注文を受け付けてしまうのを防止することができる。また、顧客は、プリント処理の状況に応じた最適な注文方法を選択できる。
【００１０】
本発明のプリントシステムにおいて、注文を受け付ける前において、特急モードでの注文を受け付けた場合に、その注文に対応したプリント処理が完成するまでのプリント時間を算出する算出手段と、特急モードでの注文に対応したプリント処理が完成するまでに要する時間としてあらかじめ設定された規定時間を記憶する所要時間記憶手段とをさらに備え、前記切り換え手段は、前記プリント時間が前記規定時間と同じまたはそれより短い場合に、特急モードでの注文の受付が可能であると判断し、特急モードでの注文の受付が可能になるように切り換えてもよい。
【００１１】
本発明のプリント注文受付装置において、注文を受け付ける前において、特急モードでの注文を受け付けた場合に、その注文に対応したプリント処理が完成するまでのプリント時間を算出する算出手段と、特急モードでの注文に対応したプリント処理が完成するまでに要する時間としてあらかじめ設定された規定時間を記憶する所要時間記憶手段とをさらに備え、前記切り換え手段は、前記プリント時間が前記規定時間と同じまたはそれより短い場合に、特急モードでの注文の受付が可能であると判断し、特急モードでの注文の受付が可能になるように切り換えてもよい。
【００１２】
この構成によると、特急モードでの注文に対応したプリント処理が終了するまでのプリント時間と規定時間とを比較することによって、特急モードでの注文の受付が可能であるか否かを容易に判断することができる。
【００１３】
本発明のプリントシステムにおいて、注文画面を表示するディスプレイをさらに備え、前記ディスプレイには、前記規定時間が表示されてもよい。
【００１４】
本発明のプリント注文受付装置において、注文画面を表示するディスプレイをさらに備え、前記ディスプレイには、前記規定時間が表示されてもよい。
【００１５】
この構成によると、顧客は、ディスプレイに表示された時間を見ることによって、特急モードでの注文に対応したプリント処理に要する時間を確認することができる。従って、この時間を確認した上で、特急モードでの注文を行うか否かを判断することができる。また、特急モードでの注文を行った場合に、顧客が写真プリントを受け取りに来るタイミングを知ることができる。
【００１６】
本発明のプリントシステムにおいて、前記切り換え手段は、前記プリント時間が前記規定時間より長い場合に、特急モードでの注文の受付が不可能であると判断し、特急モードでの注文の受付が不可能になるように切り換えてもよい。
【００１７】
本発明のプリント注文受付装置において、前記切り換え手段は、前記プリント時間が前記規定時間より長い場合に、特急モードでの注文の受付が不可能であると判断し、特急モードでの注文の受付が不可能になるように切り換えてもよい。
【００１８】
この構成によると、特急モードでの注文に対応したプリント処理が終了するまでのプリント時間と規定時間とを比較することによって、特急モードでの注文の受付が不可能であるか否かを容易に判断することができる。
【００１９】
本発明のプリントシステムにおいて、前記所要時間記憶手段に記憶される時間の変更可能範囲を記憶する変更範囲記憶手段と、前記所要時間記憶手段に記憶される時間を変更する変更手段とをさらに備え、前記プリント時間が前記規定時間より長く且つ前記変更範囲記憶手段に記憶された変更可能範囲内である場合に、前記変更手段は、前記所要時間記憶手段に記憶される時間を前記プリント時間に変更すると共に、前記切り換え手段は、特急モードでの注文の受付が可能であると判断し、特急モードでの注文の受付が可能になるように切り換えてもよい。
【００２０】
本発明のプリント注文受付装置において、前記所要時間記憶手段に記憶される時間の変更可能範囲を記憶する変更範囲記憶手段と、前記所要時間記憶手段に記憶される時間を変更する変更手段とをさらに備え、前記プリント時間が前記規定時間より長く且つ前記変更範囲記憶手段に記憶された変更可能範囲内である場合に、前記変更手段は、前記所要時間記憶手段に記憶される時間を前記プリント時間に変更すると共に、前記切り換え手段は、特急モードでの注文の受付が可能であると判断し、特急モードでの注文の受付が可能になるように切り換えてもよい。
【００２１】
この構成によると、特急モードでの注文を受け付けた場合に、規定時間よりも長くかかるとしても、写真プリントを変更可能範囲内の時間にユーザに対して手渡すことができる場合には、特急モードでの注文の受け付けを可能にすることによって、特急モードでの注文を受け付けることができる。
【００２２】
本発明のプリントシステムにおいて、注文画面を表示するディスプレイをさらに備え、前記ディスプレイには、前記プリント時間が表示されてもよい。
【００２３】
本発明のプリント注文受付装置において、注文画面を表示するディスプレイをさらに備え、前記ディスプレイには、前記プリント時間が表示されてもよい。
【００２４】
この構成によると、顧客は、ディスプレイに表示された時間を見ることによって、特急モードでの注文に対応したプリント処理に要する時間を確認することができる。従って、この時間を確認した上で、特急モードでの注文を行うか否かを判断することができる。また、特急モードでの注文を行った場合に、顧客が写真プリントを受け取りに来るタイミングを知ることができる。ここで、特急モードでの注文を受け付けた場合に、例えば他の注文に対応したプリント処理が行われていることにより、その注文に対応したプリント処理に要する時間（プリント時間）が通常の場合（規定時間）よりも長くかかることになるが、顧客は、特急モードでの注文を行う前に、この時間を確認しているので問題は生じない。
【００２５】
本発明のプリントシステムにおいて、前記変更手段は、前記プリント時間が前記規定時間と同じまたはそれより短くなった時点で、前記所要時間記憶手段に記憶された時間を前記規定時間に変更してもよい。
【００２６】
本発明のプリント注文受付装置において、前記変更手段は、前記プリント時間が前記規定時間と同じまたはそれより短くなった時点で、前記所要時間記憶手段に記憶された時間を前記規定時間に変更してもよい。
【００２７】
この構成によると、プリント時間が、規定時間よりも長く且つ変動可能範囲内である状態から、写真処理装置のプリント処理の状況が変化することによって、規定時間と同じまたはそれより短くなった時点で、所要時間記憶手段に記憶された時間が規定時間に変更される。従って、特急モードでの注文の受付の可否がプリント処理の状況に応じて最適な状態に自動的に切り換えられる。
【００２８】
本発明のプリントシステムにおいて、前記切り換え手段は、前記プリント時間が前記規定時間より長く且つ前記変更範囲記憶手段に記憶された変更可能範囲内でない場合に、特急モードでの注文の受付が不可能であると判断し、特急モードでの注文の受付が不可能になるように切り換えてもよい。
【００２９】
本発明のプリント注文受付装置において、前記切り換え手段は、前記プリント時間が前記規定時間より長く且つ前記変更範囲記憶手段に記憶された変更可能範囲内でない場合に、特急モードでの注文の受付が不可能であると判断し、特急モードでの注文の受付が不可能になるように切り換えてもよい。
【００３０】
この構成によると、特急モードでの注文に対応したプリント処理が終了するまでのプリント時間と規定時間とを比較することによって、特急モードでの注文の受付が不可能であるか否かを容易に判断することができる。
【発明を実施するための最良の形態】
【００３１】
以下、本発明の好適な実施の形態について、図面を参照しつつ説明する。図１は、本発明の実施の形態に係るデジタル画像処理システムの外観斜視図である。図２は、図１に示すデジタル画像処理システムの構成を示す図である。
【００３２】
〔デジタル画像処理システム〕
図１に示すデジタル画像処理システム（プリントシステム）は、複数のプリント注文受付装置Ｒ（以下、受付装置Ｒと略称する）と、銀塩式の印画紙１に画像データのプリントを行うデジタル型の写真処理装置Ｐと、これらの間で情報のアクセスを行う通信ネットワークＮ（図２参照）とを備えている。
【００３３】
デジタル画像処理システムは、写真店に設置されるのが一般的であり、このシステムでは、デジタルカメラで撮影された画像データを保存したスマートメディアＳＭ、コンパクトフラッシュ（登録商標）ＣＦ、メモリースティックＭＳ、ＰＣカードＰＣ−Ｃや、画像データを保存したＣＤ−ＲＯＭ、ＭＯ等の記憶媒体（以下、これらをメディアＭと総称する）からの画像データに基づくプリント注文を受付装置Ｒで受付けることができる。
【００３４】
また、このシステムでは、この受付時に発行される受付証ｒｅ（図１６参照）を顧客が図１に示すサービスカウンターＣで写真店の担当者に提示することにより、その担当者が受付証ｒｅにプリントされた情報に基づき、完成した写真プリントを受付証ｒｅを提示した顧客に対して代金と引き換えに手渡す処理が行われる。
【００３５】
〔写真処理装置Ｐ〕
まず、写真処理装置Ｐの構成について、図１及び図２を参照して説明する。写真処理装置Ｐは、テーブル上に配置されたオペレート部Ｐｏと現像処理部Ｐｄとが一体化された装置本体と、この装置本体から分離した位置のスキャナーユニットＰｓとを備えている。
【００３６】
オペレート部Ｐｏには、印画紙マガジン５からの印画紙１をプリントサイズに切断してデジタル型の露光ヘッド６に供給する露光系が内装されている。また、オペレート部Ｐｏは、ＣＤ−ＲＯＭまたはＤＶＤからの情報の読出し、及び、ＣＤ−Ｒに対する情報の書き込みを行うコンボドライブ１０と、スマートメディアＳＭ、コンパクトフラッシュ（登録商標）ＣＦ及びＭＯ等の各種メディアに対応した複数のマルチドライブ１１と、画像データや各種情報の表示を行うディスプレイ１２と、キーボード１３と、マウス１４と、マイクロプロセッサを有する制御部１５を備えている。
【００３７】
制御部１５は、汎用コンピュータを用いて構成されており、各種のソフトウエアの作動が可能になっている。制御部１５は、画像処理ソフトによって、スキャナユニットＰｓでデジタル信号化された画像データの補正や、必要な場合には画像データのトリミングを行い、この処理の結果を制御部１５の半導体メモリやハードディスクに保存し、印画紙１に対する画像データの露光時に露光ヘッド６に転送することができる。
【００３８】
また、制御部１５は、作業領域が形成されるＲＡＭ型の半導体メモリや、プログラムやパラメータが保存されるＲＯＭ型の半導体メモリの総称としてのメモリ（図示しない）を備えると共に、ハードウエアまたはソフトウエア、あるいは、ハードウエアとソフトウエアとの組合わせによって、算出部７１と、送受信部７２とが形成されている（図４参照）。
【００３９】
また、現像処理部Ｐｄには、露光ヘッド６で露光された印画紙１の現像処理を行う現像処理槽７が内装されている。現像処理部Ｐｄでは、現像処理槽７で現像処理が行われた印画紙１が、乾燥された後で、現像処理部Ｐｄの上面の横送りコンベア８に送出される。そして、横送りコンベア８からの印画紙１が仕分けコンベア９に送出される。
【００４０】
スキャナーユニットＰｓは、底部にキャスタを備えた筐体１７の上面に対して交換自在にフィルムキャリア１８を備えると共に、筐体内部に光学レンズやＣＣＤ等の光電変換素子を有する光電変換部（図示しない）を備えている。また、筐体内部に備えた光源から光ファイバーを介して送られる光線をフィルムキャリア１８の上面側に導くアーム１９を備えている。
【００４１】
そして、写真フィルム２のスキャニングを行う場合には、ネガティブフィルムまたはポジティブフィルムをフィルムキャリア１８にセットし、このフィルムキャリア１８で設定速度で移動させながらアーム１９の先端から下方に向けて照射する光線により、写真フィルム２の各コマの画像データを光電変換部でデジタル信号化し、ケーブル２０を介して制御部１５に転送し得るよう構成されている。
【００４２】
〔受付装置Ｒ〕
次に、受付装置Ｒの構成を図３を参照して説明する。受付装置Ｒは、図３に示すように、筐体２１の上面に配置され且つタッチパネル２２が形成された液晶型のディスプレイ２３と、筐体２１の前面に設けられた媒体ドライブとしての複数のメディアドライブ２４と、筐体２１の上面におけるディスプレイ２３より前面側に設けられ且つ受付証ｒｅを発行する熱転写式の受付証プリンタ２５と、筐体２１の内部に内蔵されたコントローラ２６とを備えている。なお、複数のメディアドライブ２４は、スマートメディアＳＭ、コンパクトフラッシュ（登録商標）ＣＦ、メモリスティックＭＳ、メディアＭのアタッチメントとして機能するＰＣカードＰＣ−Ｃ、ＣＤ−ＲＯＭ、ＭＯ等のそれぞれに対応している。
【００４３】
コントローラ２６は、メディアドライブ２４との情報のアクセス及びタッチパネル２２との情報のアクセスが可能であると共に、ディスプレイ２３に対する画像データの出力及び受付証プリンタ２５に対する情報の出力が可能である。また、コントローラ２６は、作業領域が形成されるＲＡＭ型の半導体メモリや、プログラムやパラメータが保存されるＲＯＭ型の半導体メモリの総称としてのメモリ（図示しない）を備えると共に、ハードウエアまたはソフトウエア、あるいは、ハードウエアとソフトウエアとの組合わせによって、モード記憶部８１と、所要時間記憶部８２と、変更範囲記憶部８３と、変更部８４と、切り換え部８５と、注文受付部８６と、送受信部８７とが形成されている（図４参照）。
【００４４】
次に、写真処理装置Ｐの制御部１５及び受付装置Ｒのコントローラ２６の構成について、図４を参照して説明する。図４は、写真処理装置の制御部及び受付装置Ｒのコントローラの構成を示すブロック図である。なお、図４では、１台の受付装置Ｒだけが図示されているが、その他の受付装置Ｒにおいても同様である。
【００４５】
モード記憶部８１は、受付装置Ｒでプリント注文を受け付けてから写真処理装置Ｐでのプリント処理が完了するまでに要する時間に関して、通常モード及び通常モードよりも要する時間が短い特急モードの２つのモードを記憶する。ここで、通常モード及び特急モードでのプリント注文に対応したプリント処理に要する時間は同じであるが、通常モードでのプリント注文を受け付けた場合には、その受付からプリント処理開始までの時間が長く設定されており、特急モードでのプリント注文を受け付けた場合には、その受付からプリント処理開始までの時間が短く設定されているので、プリント注文の受付からプリント処理の完了までの時間に差が出る。
【００４６】
所要時間記憶部８２は、通常モードまたは特急モードでのプリント注文にそれぞれ対応したプリント処理に要する時間を記憶する。所要時間記憶部８２は、通常モード記憶部８２ａと、特急モード記憶部８２ｂとを有している。本実施の形態では、通常モード記憶部８２ａは、通常モード規定時間として２０分を記憶しており、特急モード記憶部８２ｂは、特急モード規定時間として５分を記憶している。なお、通常モード規定時間及び特急モード規定時間は変更可能である。
【００４７】
変更範囲記憶部８３は、特急モードでのプリント注文を受け付けた場合に、このプリント注文に対応したプリント処理に要する時間として許容される時間の範囲を記憶する。変更範囲記憶部８３は、最短時間記憶部８３ａと、最長時間記憶部８３ｂとを有しており、最短時間記憶部８３ａに記憶された最短時間から最長時間記憶部８３ｂに記憶された最長時間までの範囲が変更可能範囲となる。本実施の形態では、最短時間記憶部８３ａは、最短時間として特急モード規定時間と同じ５分を記憶しており、最長時間記憶部８３ｂは、最長時間として１０分を記憶している。
【００４８】
変更部８４は、写真処理装置Ｐから送信されたプリント時間が特急モード規定時間より長く且つ最長時間と同じまたはそれより短い場合に、特急モード記憶部８２ｂに記憶されている時間を、特急モード規定時間からそのときのプリント時間に変更する。変更部８４は、その後、写真処理装置Ｐから送信されたプリント時間が特急モード規定時間と同じまたはそれより短くなった時点で、特急モード記憶部８２ｂに記憶されている時間を、特急モード規定時間に変更する。
【００４９】
切り換え部８５は、写真処理装置Ｐから送信されたプリント時間が、特急モード規定時間と同じまたはそれより短い場合、または、特急モード規定時間より長く且つ最長時間と同じまたはそれより短い場合に、注文受付部８７による特急モードでのプリント注文の受付が可能であると判断し、注文受付部８７による特急モードでのプリント注文の受け付けが可能になるように切り換える。一方、切り換え部８５は、写真処理装置Ｐから送信されたプリント時間が最長時間より長い場合に、注文受付部８６による特急モードでのプリント注文の受け付けが不可能であると判断し、注文受付部８６による特急モードでのプリント注文の受け付けが不可能になるように切り換える。
【００５０】
注文受付部８６は、受付装置Ｒのディスプレイに対する操作によって受け付けた種々の注文内容（プリントサイズ、プリントモード、プリント枚数などの指定を含む）を記憶する。
【００５１】
送受信部８７は、写真処理装置Ｐから送信されるプリント時間を含む情報などを受信すると共に、プリント注文に基づく種々の設定を写真処理装置Ｐに送信する。
【００５２】
算出部７１は、顧客が受付装置Ｒに対してプリント注文の受付を行う前において、特急モードでのプリント注文を受け付けた場合に、そのプリント注文に対応したプリント処理が終了するまでのプリント時間を算出する。本実施の形態では、算出部７１は、プリント時間が、写真処理装置Ｐにおけるプリント処理の状況に応じて変化するように、所定時間（例えば１分）間隔で算出される。
【００５３】
送受信部７２は、算出部７１によりプリント時間が算出される度に、その算出されたプリント時間を受付装置Ｒに送信すると共に、受付装置Ｒから送信されるプリント注文に基づく種々の設定を受信する。
【００５４】
〔受付装置Ｒでの注文受付〕
次に、受付装置Ｒにおけるプリント注文の受付の手順について、図５〜図１６を参照して説明する。図５は、受付装置におけるプリント注文の受付の手順を示すフローチャートである。図６〜図１５は、注文受付の際に受付装置のディスプレイに表示される表示画面の一例である。図１６は、受付証の一例を示す図である。
【００５５】
受付装置Ｒでは、待機状態においては、図６に示すように、受付装置Ｒの機能や写真店のロゴマーク等を含む待機画面（初期画面）が表示される（ステップＳ１）。そして、顧客が画像のプリントの注文を行う場合には、ディスプレイ２３のタッチパネル２２に指を接触させることにより、図７に示す「サービス選択画面」が表示される（ステップＳ２）。この画面には、「サービスを選択して下さい」とのメッセージと共に、プリントの受付を行わせるプリント受付スイッチ部４５ａと、メディア保存受付を行わせるメディア保存受付スイッチ部４５ｂとが表示され、顧客に選択を求める。なお、メディア保存受付スイッチ部４５ｂが操作された場合には、メディアＭに保存された画像データを、写真処理装置Ｐに転送して、写真処理装置ＰにおいてＣＤ−ＲやＭＯに保存する処理が行われるが、プリントを受付ける処理と基本的に同じ処理形態であるので、詳細な説明は省略する。
【００５６】
「サービス選択画面」が表示された状態で、プリント受付スイッチ部４５ａが操作された場合には、図８に示す「メディア選択画面」が表示される（ステップＳ３）。この「メディア選択画面」には、「メディアを選択して下さい」とのメッセージと共に、メディアを選択する複数のスイッチ部４７が表示され、顧客に選択を求める。この「サービス選択画面」の下側には処理を中止する中止ボタン４８と、前の処理に戻る戻るボタン４９とが表示され、これら中止ボタン４８と戻るボタン４９とは、後述する処理においても同じ位置に表示され、操作することにより同様に機能する。
【００５７】
そして、「メディア選択画面」が表示された状態で、顧客が使用するメディアに対応するスイッチ部４７が操作された場合には、図９に示す「メディアセット案内画面」が表示される（ステップＳ４）。この画面には、「メディアをセットしてＯＫボタンを押して下さい」とのメッセージと共に、対応するメディアをセットする際の具体的な画像が表示される。
【００５８】
「メディアセット案内画面」にしたがってメディアＭがセットされ、顧客がＯＫボタン５０を操作することで、セットされたメディアＭから画像データを読出した後（ステップＳ５）、図１０に示す「プリントサイズ選択画面」が表示される（ステップＳ６）。この画面には、「プリントサイズを選択して下さい」とのメッセージと共に、複数のプリントサイズに対応したサイズ指定スイッチ部５１が表示され、顧客に選択を求める。「プリントサイズ選択画面」のサイズ指定スイッチ部５１には、プリントサイズを示す「Ｌ版」や「２Ｌ版」の文字の他に、プリントサイズを示す数値、プリントの単価及びプリントの基本料金などが表示される。
【００５９】
そして、「プリントサイズ選択画面」が表示された状態で、いずれか１つのサイズ指定スイッチ部５１が操作された場合には、図１１に示す「プリントモード選択画面」が表示される（ステップＳ７）。この画面には、「プリントモードを選択して下さい」とのメッセージと共に、２つのプリントモードに対応したモード指定スイッチ部５２が表示され、顧客に選択を求める。「プリントモード選択画面」のモード指定スイッチ部５２には、プリントモードを示す「通常モード」や「特急モード」の文字の他に、各モードでのプリント処理に要する時間及び特急モードにおける追加料金などが表示される。なお、本実施の形態のように、プリント時間が特急モード規定時間よりも長く且つ最長時間より短いときに、特急モードでのプリント注文を受け付ける場合には、その時間に応じて、特急モードにおける追加料金が変更されてもよい、
【００６０】
「プリントモード選択画面」が表示された状態で、モード指定スイッチ部５２が操作された場合には、図１２に示す「プリント枚数設定画面」が表示される（ステップＳ８）。この画面には、「プリント枚数を設定して下さい」とのメッセージと共に、メディアＭから読出された複数の画像データがサムネイル画像Ｓとが表示される。
【００６１】
「プリント枚数設定画面」では、各サムネイル画像Ｓのフレーム５４の上段に画像データを特定するファイルの名称とファイルの種類を示す拡張子とが表示され、フレーム５４の下段にはプリント枚数を示す数値を表示する枚数表示エリア５５が設けられている。また、このプリント枚数表示エリア５５を挟む位置にプリント枚数を１枚ずつ増加させる＋ボタン５６と、プリント枚数を１枚ずつ減少させる−ボタン５６とが表示されている。
【００６２】
また、この画面下端部近傍には、中止ボタン４８と、戻るボタン４９と、更新スイッチとして機能する次へボタン５３と、全てのプリント枚数を１枚ずつ増加させる全体＋ボタン５７と、全てのプリント枚数を１枚ずつ減少させる全体−ボタン５７とが表示されると共に、その中央位置に情報エリアＤＥが表示される。情報エリアＤＥには、選択されたプリントサイズの情報、設定されたプリントの合計枚数、プリントに要する合計金額、ページを示す数字が表示される。
【００６３】
「プリント枚数設定画面」が表示された状態で、全てのプリントすべき画像データの選択が終了し、ＯＫボタン５０が操作されると、図１３に示す「注文内容確認画面」が表示される（ステップＳ９）。この画面には「注文の内容を確認して下さい」とのメッセージと共に、顧客が受付装置Ｒから入力したプリントの詳細と金額とを一覧化した確認シート６５が表示される。そして、この表示内容に誤りがなければＯＫボタン５０を操作することで、オーダ情報と画像データとにＩＤ情報を付与した形態のフォルダが新たに生成され、これらの情報が写真処理装置Ｐに送信される。
【００６４】
「注文内容確認画面」が表示された状態で、ＯＫボタン５０が操作されると、図１４に示す「メディア抜取り案内画面」が表示される（ステップＳ１０）。この画面には「メディアを抜取って下さい」とのメッセージが表示され、この表示にしたがいメディアを抜取り、ＯＫボタン５０を操作することで、図１５に示す「受付発行案内画面」が表示される（ステップＳ１１）。この画面には「受付証を発行中です、しばらくお待ち下さい」及び「受付証はカウンタに持参して下さい」のメッセージが表示され、所定の時間が経過すると受付証プリンタ２５で受付証ｒｅがプリントされて送出される（ステップＳ１２）。このように受付証ｒｅが発行されると、受付処理の全てが終了して待機画面に復帰する。
【００６５】
受付証ｒｅは、図１６に示すように、受付証本体と、お客様控えとが連なった形態となっており、お客様名、電話番号、受付ＩＤ、端末ＩＤ、受付日、注文番号等の他に注文の詳細を示す内容がプリントされている。なお、即日に写真のプリントを手渡せない場合には、受付証本体と、お客様控えとを切り離し、受付証本体をＤＰ店の控えとして残し、お客様控えを顧客に手渡す処理も可能にしている。
【００６６】
次に、受付装置Ｒにおける「プリントモード選択画面」の表示及びプリントモードの指定手順について、図１７及び図１８を参照して説明する。図１７は、受付装置Ｒにおける「プリントモード選択画面」の表示及びプリントモードの指定手順を示すフローチャートである。図１８は、受付装置Ｒにおける「プリントモード選択画面」の表示及びプリントモードの指定手順を説明するための図である。なお、図１７及び図１８では、説明を分かりやすくするために、写真処理装置Ｐにおけるプリント動作が行われていない状態で、受付装置Ｒに対してプリント注文が行われる場合を説明する。
【００６７】
まず、受付装置Ｒのディスプレイに「プリントモード選択画面」の表示を行う前に、特急モードでのプリント注文の受け付けが可能であるか否かを検知する必要がある。そこで、写真処理装置Ｐにおけるプリント処理の状況を確認するために、写真処理装置Ｐにおけるプリント待ちのオーダー登録が確認される。具体的には、特急モードでのプリント注文に対応したオーダーがプリント待ちであるか否かが判断される（ステップＳ１０１）。ここで、図１８（ａ）は、写真処理装置Ｐには通常モードでのプリント注文に対応したオーダーＡがプリント待ちである状態において、特急モードでのプリント注文に対応したオーダーＢの受け付けが行われる状況を示している。
【００６８】
そして、特急モードでのプリント注文に対応したオーダーがプリント待ちでない場合には（Ｓ１０１：ＮＯ）、特急モードでのプリント注文を受け付けたときに、そのプリント注文に対応したプリント処理に要するプリント時間が算出される（ステップＳ１０２）。図１８（ａ）では、写真処理装置Ｐにおいて、プリント待ち状態の特急モードでのプリント注文に対応したオーダーはないので、特急モードでのプリント注文を受け付けた場合には、そのプリント注文に対応したプリント処理を即座に行うことができる。従って、写真処理装置Ｐでは、プリント時間は特急モード記憶部８２ｂに記憶された特急モード規定時間と同じ時間の５分と算出される。その後、写真処理装置Ｐから受付装置Ｒに対して、プリント時間は５分であるとの情報が送信される（ステップＳ１０３）。
【００６９】
すると、受付装置Ｒに送信されたプリント時間は５分であり、これは特急モード規定時間の５分と同じであるので、切り換え部８５は特急モードでのプリント注文の受け付けは可能であると判断する（ステップＳ１０４）。そして、切り換え部８５は特急モードでのプリント注文の受け付けを可能にするために、「プリントモード選択画面」には、通常モード及び特急モードの２つのモード指定スイッチ部５２を表示する（ステップＳ１０５）。
【００７０】
従って、図１８（ａ）の状況では、顧客は、オーダーＢの画像に関しては、通常モードでのプリント注文及び特急モードでのプリント注文のいずれかを選択して、プリント注文の受け付けを行うことができる（ステップＳ１０６）。そして、オーダーＢのプリント注文が特急モードで受け付けられた場合には、特急モードでのプリント注文に対応したオーダーＢのプリント処理は、通常モードでのプリント注文に対応したオーダーＡのプリント処理よりも先に行われる。
【００７１】
一方、特急モードでのプリント注文に対応したオーダーがプリント待ちである場合には（Ｓ１０１：ＹＥＳ）、そのプリント待ちのオーダーは１つか否かが判断される（ステップＳ１０７）。そして、プリント待ちの特急モードでのプリント注文に対応したオーダーが１つである場合には（Ｓ１０７：ＹＥＳ）、特急モードでのプリント注文を受け付けたときに、そのプリント注文に対応したプリント処理に要するプリント時間が算出される（ステップＳ１０８）。
【００７２】
図１８（ｂ）では、写真処理装置Ｐにおいて、プリント待ち状態の特急モードでのプリント注文に対応したオーダーは１つあるので、特急モードでのプリント注文を受け付けた場合には、そのプリント注文に対応したプリント処理を即座に行うことはできないで、既にプリント待ち状態の特急モードでのプリント注文に対応したオーダーのプリント処理が終了した後で行われることになる。従って、写真処理装置Ｐでは、プリント時間は特急モード記憶部８２ｂに記憶された特急モード規定時間の２倍の時間の１０分と算出される。その後、写真処理装置Ｐから受付装置Ｒに対して、プリント時間は１０分であるとの情報が送信される（ステップＳ１０９）。
【００７３】
すると、受付装置Ｒに送信されたプリント時間は１０分であり、これは特急モード規定時間の５分より長く且つ最長時間の１０分と同じであるので、変更部８４は特急モード記憶部８２ｂに記憶された時間をプリント時間の１０分に変更する（ステップＳ１１０）。その後、切り換え部８５は特急モードでのプリント注文の受け付けは可能であると判断する（ステップＳ１１１）。そして、切り換え部８５は特急モードでのプリント注文の受け付けを可能にするために、「プリントモード選択画面」には、通常モード及び特急モードの２つのモード指定スイッチ部５２を表示する（ステップＳ１１２）。
【００７４】
従って、図１８（ｂ）の状況では、顧客は、オーダーＣの画像に関しては、通常モードでのプリント注文及び特急モードでのプリント注文のいずれかを選択して、プリント注文の受け付けを行うことができる（ステップＳ１０６）。そして、オーダーＣのプリント注文が特急モードで受け付けられた場合には、特急モードでのプリント注文に対応したオーダーＣのプリント処理は、特急モードでのプリント注文に対応したオーダーＢのプリント処理の後であって、通常モードでのプリント注文に対応したオーダーＡのプリント処理よりも先に行われる。
【００７５】
なお、変更部８４は、写真処理装置Ｐから送信されたプリント時間が特急モード規定時間の５分と同じまたはそれより短くなった時点で、特急モード記憶部８２ｂに記憶された時間を、元の特急モード規定時間の５分に変更する。
【００７６】
また、プリント待ちの特急モードでのプリント注文に対応したオーダーが１つではない（２つ以上）である場合には（Ｓ１０７：ＮＯ）、特急モードでのプリント注文を受け付けたときに、そのプリント注文に対応したプリント処理に要するプリント時間が算出される（ステップＳ１１３）。
【００７７】
図１８（ｃ）では、写真処理装置Ｐにおいて、プリント待ち状態の特急モードでのプリント注文に対応したオーダーは２つあるので、特急モードでのプリント注文を受け付けた場合には、そのプリント注文に対応したプリント処理を即座に行うことはできないで、既にプリント待ち状態の特急モードでのプリント注文に対応したオーダーのプリント処理が終了した後で行われることになる。従って、写真処理装置Ｐでは、プリント時間は特急モード記憶部８２ｂに記憶された特急モード規定時間の３倍の時間の１５分と算出される。その後、写真処理装置Ｐから受付装置Ｒに対して、プリント時間は１５分であるとの情報が送信される（ステップＳ１１４）。
【００７８】
すると、受付装置Ｒに送信されたプリント時間は１５分であり、これは最長時間の１０分よりも長いので、切り換え部８５は特急モードでのプリント注文の受け付けは不可能であると判断する（ステップＳ１１５）。そして、切り換え部８５は特急モードでのプリント注文の受け付けを不可能にするために、「プリントモード選択画面」には、特急モードのモード指定スイッチ部を表示しないで、通常モードのモード指定スイッチ部だけを表示する（ステップＳ１１６）。
【００７９】
従って、図１８（ｃ）の状況では、顧客は、オーダーＤの画像に関しては、通常モードでのプリント注文の受け付けしか行うことはできない（ステップＳ１０６）。
【００８０】
以上説明したように、本実施の形態のプリントシステムでは、受付装置Ｒにおいて特急モードでのプリント注文の受付の可否が、写真処理装置Ｐにおけるプリント処理の状況に応じて自動的に切り換えられる。つまり、写真処理装置Ｐにおいて、特急モードでのプリント注文に対応したプリント処理が行われているかまたはプリント待ち状態である場合には、特急モードでのプリント注文を受け付けても、そのプリント注文に対応したプリント処理を即座に行うことができない。従って、そのプリント注文に対応したプリント処理が終了するまでに長時間が必要な場合には、受付装置Ｒにおいて特急モードでのプリント注文の受付が不可能になる。一方、写真処理装置Ｐにおいて、特急モードでのプリント注文に対応したプリント処理が行われてないで且つプリント待ち状態でもない場合には、特急モードでのプリント注文を受け付けると、そのプリント注文に対応したプリント処理を速やかに行うことができる。従って、そのプリント注文に対応したプリント処理が終了するまでに長時間が必要でない場合には、受付装置Ｒにおいて特急モードでのプリント注文の受付が可能になる。従って、写真店の店員が受付装置Ｒに対して特急モードでのプリント注文の受け付けの可否を設定しなくても、受付装置Ｒの設定が写真処理装置Ｐのプリント処理の状況に応じて最適な状態に自動的に切り換えられる。そのため、特急モードにおけるプリント処理が可能である（写真プリントを顧客に対して早急に手渡すことができる）場合に限って、特急モードでのプリント注文を受け付けることが可能になる。つまり、特急モードにおけるプリント処理が不可能である（写真プリントを顧客に対して早急に手渡すことができない）にもかかわらず、特急モードでのプリント注文を受け付けてしまうのを防止することができる。また、顧客は、写真処理装置Ｐのプリント処理の状況に応じた最適な注文方法を選択できる。
【００８１】
また、受付装置Ｒでは、写真処理装置Ｐから送信されたプリント時間と規定時間とを比較することによって、注文受付部８６による特急モードでのプリント注文の受付が可能であるか否かを容易に判断することができる。
【００８２】
また、受付装置Ｒのディスプレイ２３に表示される「プリントモード選択画面」には、特急モードでのプリント注文に対応した所要時間が表示されるので、顧客は、この時間を見ることによって、特急モードでのプリント注文に対応したプリント処理に要する時間を確認することができる。従って、この時間を確認した上で、特急モードでのプリント注文を行うか否かを判断することができる。また、特急モードでのプリント注文を行った場合に、顧客が写真プリントを受け取りに来るタイミングを知ることができる。
【００８３】
また、特急モードでのプリント注文を受け付けた場合に、プリント時間が、特急モード規定時間よりも長く且つ最長時間より短い場合には、特急モード記憶部８２ｂに記憶された時間がプリント時間に変更された後で、特急モードでのプリント注文の受付が可能になる。従って、特急モード規定時間よりも長くかかるとしても、写真プリントを比較的早く顧客に対して手渡すことができる場合には、特急モードでのプリント注文の受け付けを可能にすることによって、特急モードでのプリント注文を受け付けることができる。
【００８４】
また、この場合には、受付装置Ｒのディスプレイ２３に表示される「プリントモード選択画面」には、特急モードでのプリント注文に対応した所要時間として、変更された後の特急モード規定時間よりも長い時間が表示されるので、顧客は、この時間を見ることによって、特急モードでのプリント注文に対応したプリント処理に要する時間を確認することができる。従って、この時間を確認した上で、特急モードでのプリント注文を行うか否かを判断することができる。また、特急モードでのプリント注文を行った場合に、顧客が写真プリントを受け取りに来るタイミングを知ることができる。
【００８５】
また、写真処理装置Ｐから送信されるプリント時間が、特急モード規定時間よりも長く且つ最長時間と同じまたはそれより短い状態から、写真処理装置Ｐのプリント処理の状況が変化することによって、特急モード規定時間と同じまたはそれより短くなった時点で、特急モード記憶部８２ｂに記憶された時間が特急モード規定時間に変更される。従って、受付装置Ｒの設定が写真処理装置Ｐのプリント処理の状況に応じて最適な状態に自動的に切り換えられる。
【００８６】
以上、本発明の好適な一実施の形態について説明したが、本発明は上述の実施の形態に限られるものではなく、特許請求の範囲に記載した限りにおいて様々な設計変更が可能なものである。例えば、上述の実施の形態では、写真処理装置Ｐにおけるプリント動作が行われていない状態で、受付装置Ｒに対してプリント注文が行われる場合について説明しているが、写真処理装置Ｐにおけるプリント動作が行われている状態で、受付装置Ｒに対してプリント注文が行われた場合には、プリント時間が算出される際に、プリント処理中のオーダーのプリント動作が完了するまでの時間が追加されることになる。
【００８７】
また、上述の実施の形態では、写真処理装置Ｐから送信されたプリント時間が、特急モード規定時間よりも長く且つ最長時間と同じかまたはそれより短い場合に、特急モード記憶部８２ｂに記憶された時間がプリント時間に変更された後で、特急モードでのプリント注文の受付が可能に切り換えられているが、プリント時間が、特急モード規定時間よりも長い場合には、最長時間と同じかまたはそれより短い場合でも、特急モードでのプリント注文の受付が不可能に切り換えられてもよい。
【００８８】
また、上述の実施の形態では、受付装置Ｒのディスプレイ２３に表示される「プリントモード選択画面」には、特急モードでのプリント注文に対応した所要時間が表示されているが、所要時間は表示されなくてもよい。
【００８９】
また、上述の実施の形態では、写真処理装置Ｐにおいてプリント時間が算出され、写真処理装置Ｐから受付装置Ｒに対して、プリント時間を含む情報が送信されているが、写真処理装置Ｐから受付装置Ｒに対して、プリント時間を含んでいないプリント処理に関する情報が送信され、受付装置Ｒにおいてプリント時間が算出されてもよい。
【図面の簡単な説明】
【００９０】
【図１】本発明の実施の形態に係るデジタル画像処理システムの外観斜視図である。
【図２】図１に示すデジタル画像処理システムの構成を示す図である。
【図３】図１に示す受付装置の構成を示す図である。
【図４】写真処理装置の制御部及び受付装置Ｒのコントローラの構成を示すブロック図である。
【図５】受付装置におけるプリント注文の受付の手順を示すフローチャートである。
【図６】注文受付の際に受付装置のディスプレイに表示される表示画面の一例である。
【図７】注文受付の際に受付装置のディスプレイに表示される表示画面の一例である。
【図８】注文受付の際に受付装置のディスプレイに表示される表示画面の一例である。
【図９】注文受付の際に受付装置のディスプレイに表示される表示画面の一例である。
【図１０】注文受付の際に受付装置のディスプレイに表示される表示画面の一例である。
【図１１】注文受付の際に受付装置のディスプレイに表示される表示画面の一例である。
【図１２】注文受付の際に受付装置のディスプレイに表示される表示画面の一例である。
【図１３】注文受付の際に受付装置のディスプレイに表示される表示画面の一例である。
【図１４】注文受付の際に受付装置のディスプレイに表示される表示画面の一例である。
【図１５】注文受付の際に受付装置のディスプレイに表示される表示画面の一例である。
【図１６】受付証の一例を示す図である。
【図１７】受付装置Ｒにおける「プリントモード選択画面」の表示及びプリントモードの指定手順を示すフローチャートである。
【図１８】受付装置Ｒにおける「プリントモード選択画面」の表示及びプリントモードの指定手順を説明するための図である。
【符号の説明】
【００９１】
Ｒ  プリント注文受付装置
Ｐ  写真処理装置
２２  タッチパネル（注文受付手段）
２３  ディスプレイ
７１  算出部（算出手段）
８１  モード記憶部（モード記憶手段）
８２  所要時間記憶部（所要時間記憶手段）
８３  変更範囲記憶部（変更範囲記憶手段）
８４  変更部（変更手段）
８５  切り換え部（切り換え手段）
８６  注文受付部（注文受付手段）
【図１】
2006268450.tif 000003
【図２】
2006268450.tif 000004
【図３】
2006268450.tif 000005
【図４】
2006268450.tif 000006
【図５】
2006268450.tif 000007
【図６】
2006268450.tif 000008
【図７】
2006268450.tif 000009
【図８】
2006268450.tif 000010
【図９】
2006268450.tif 000011
【図１０】
2006268450.tif 000012
【図１１】
2006268450.tif 000013
【図１２】
2006268450.tif 000014
【図１３】
2006268450.tif 000015
【図１４】
2006268450.tif 000016
【図１５】
2006268450.tif 000017
【図１６】
2006268450.tif 000018
【図１７】
2006268450.tif 000019
【図１８】
2006268450.tif 000020